(57)【要約】【課題】広域災害発生等で通報が急増しても、円滑に通報処理を行うことができるビル設備用遠隔監視システムを提供する。【解決手段】このシステムでは、ビル１０、２０、３０に設置される監視端末１２、２２、３２によりエレベータ１１、揚水タンク２１、空調機器３１を監視した結果の異常検出時に通報を行う際、通報の内容を示す異常情報に応じて予め決定した処理優先度情報を付して作成した通報情報を監視センタ装置６０へ送信し、通報情報を受信した装置６０側では通信装置６１が処理優先度情報に従って通信情報を処理装置６２、第２優先処理バッファ６３、第３優先処理バッファ６４に振り分け、装置６２が振り分けられた通信情報に含まれる複数の異なる異常情報に係る通報処理の中から優先度の高い順（エレベータ１１、タンク２１、機器３１の順）で監視卓６５、６６、６７の空き卓へ異常通報を表示するための少なくとも一つの通報処理を選択する。【選択図】図１
2014206864.tif 000002
【特許請求の範囲】
【請求項１】
エレベータ制御装置を含むビル設備機器を監視して異常検出時に通報を行う監視端末と、前記監視端末と通信回線を介して接続されて遠隔地に設置されると共に、前記通報を受信する監視センタ装置と、を備えたビル設備用遠隔監視システムであって、
前記監視端末は、前記異常検出時に前記通報の内容を示す異常情報に応じて予め決定した優先度を示す処理優先度情報を当該異常情報に付して作成した通報情報を前記監視センタ装置へ送信し、
前記監視センタ装置は、前記通報情報の受信時に前記処理優先度情報に従って複数の異なる前記異常情報に係る通報処理の中から優先度の高い順で少なくとも一つの通報処理を選択する通報選択機能を持つことを特徴とするビル設備用遠隔監視システム。
【請求項２】
請求項１記載のビル設備用遠隔監視システムにおいて、
前記監視端末は、前記処理優先度情報として、前記エレベータ制御装置からの乗りかご内での利用者の閉じ込め又は非常時通話呼びに係る通報であるときを第１優先度情報とすることを特徴とするビル設備用遠隔監視システム。
【発明の詳細な説明】
【技術分野】
【０００１】
本発明は、エレベータの制御装置を含むビル設備機器の異常を遠隔地から監視するビル設備用遠隔監視システムに関する。
【背景技術】
【０００２】
従来、この種のビル設備用遠隔監視システムでは、地震等の広域災害が発生すると、エレベータの制御装置を含むビル設備機器の異常を監視するための監視端末が一斉に異常を検出して監視センタ側へ通報を行うため、監視センタ側では通報が集中して受信能力を超えた場合には、受信が遅延されて通報処理が遅延されたり、或いは異常通報を受信できなくなって監視不能な状態となる可能性がある。
【０００３】
そこで、このような問題を解決するための周知技術として、地震等の広域的に発生する災害時に、監視センタ側の加入者回線の呼び量を低減し、緊急度の通報を確実に行う「エレベータ遠隔監視装置」（特許文献１参照）が挙げられる。
【先行技術文献】
【特許文献】
【０００４】
【特許文献１】特開２００３−７３０５０号公報
【発明の概要】
【発明が解決しようとする課題】
【０００５】
上述した特許文献１に係る技術は、監視センタが受信する通報の中で例えばエレベータの乗りかご内に閉じ込められた利用者（乗客）の通話通報等の緊急度の高い通報を優先的に対応させるため、緊急度が低いと判定した通報については監視端末が異常検出から通報に至るまでの通報時間を長く設定することにより、緊急度の高い通報を緊急度の低い通報よりも早く行う機能を持たせたものである。
【０００６】
ところが、特許文献１に係る技術は、例えば地震のように同一時間に発生する広域災害に際して、地震計動作と検出した異常の種類とにより通報に優先度を付けて通報時間に差を設けることは或る程度有効であっても、実際には監視センタ側では広域災害が発生してしない地域の監視業務も並行して行っており、広域災害の発生地域で急増した通報と広域災害の未発生地域での通常量の通報とを受信することになるため、より広域で大規模な災害が発生したり、或いは時間遅れで余震が続発した場合には通報が急増して個別の通報についての通報時間を制御しても、監視センタ側での受信能力を超えてしまい、従来と同様に受信が遅延されて通報処理が遅延されたり、或いは異常通報を受信できなくなって監視不能となる状態となる可能性がある。
【０００７】
本発明は、このような問題点を解決すべくなされたもので、その技術的課題は、広域災害発生等で通報が急増しても、円滑に通報処理を行うことができるビル設備用遠隔監視システムを提供することにある。
【課題を解決するための手段】
【０００８】
上記技術的課題を解決するため、本発明の第１の手段は、エレベータ制御装置を含むビル設備機器を監視して異常検出時に通報を行う監視端末と、監視端末と通信回線を介して接続されて遠隔地に設置されると共に、通報を受信する監視センタ装置と、を備えたビル設備用遠隔監視システムであって、監視端末は、異常検出時に通報の内容を示す異常情報に応じて予め決定した優先度を示す処理優先度情報を当該異常情報に付して作成した通報情報を監視センタ装置へ送信し、監視センタ装置は、通報情報の受信時に処理優先度情報に従って複数の異なる異常情報に係る通報処理の中から優先度の高い順で少なくとも一つの通報処理を選択する通報選択機能を持つことを特徴とする。
【発明の効果】
【０００９】
本発明のビル設備用遠隔監視システムによれば、ビルに設置される監視端末によりエレベータ制御装置を含むビル設備機器を監視した結果の異常検出時に通報を行う際、通報の内容を示す異常情報に応じて予め決定した処理優先度情報を付して作成した通報情報を監視センタ装置へ送信し、通報情報を受信した監視センタ装置側では処理優先度情報に従って複数の異なる異常情報に係る通報処理の中から優先度の高い順で少なくとも一つの通報処理を選択する通報選択機能を持つため、広域災害発生等で通報が急増しても、円滑に通報処理を行うことができるようになる。
【図面の簡単な説明】
【００１０】
【図１】本発明の実施例１に係るビル設備用遠隔監視システムの基本構成を示したブロック図である。
【図２】図１に示したビル設備用遠隔監視システムの各部間における動作処理の手順を示したフローチャートである。
【発明を実施するための形態】
【００１１】
以下に、本発明のビル設備用遠隔監視システムについて、実施例を挙げ、図面を参照して詳細に説明する。
【実施例１】
【００１２】
図１は、本発明の実施例１に係るビル設備用遠隔監視システムの基本構成を示したブロック図である。図１を参照すれば、このビル設備用遠隔監視システムは、ビル１０に設置されたビル設備機器としてのエレベータ（エレベータ制御装置）１１からの運転状態、並びに非常時通話呼び状態を監視して異常検出時に通報を行う監視端末１２と、ビル２０に設置されたビル設備機器としての揚水タンク２１の水漏れ状態を監視して異常検出時に通報を行う監視端末２２と、ビル３０に設置されたビル設備機器としての空調機器３２の通電状態を監視して異常検出時に通報を行う監視端末３２と、これらの監視端末１２、２２、３２と通信回線５０を介して接続されて遠隔地に設置されると共に、通報を受信する監視センタ装置６０と、を備えて構成される。
【００１３】
但し、ここでの監視端末１２、２２、３２は、異常検出時に通報の内容を示す異常情報に応じて決定した優先度を示す処理優先度情報を異常情報に付して作成した通報情報を監視センタ装置６０へ送信する機能を有している。具体的に云えば、監視端末１２、２２、３２では、処理優先度情報としてビル１０のエレベータ１１における乗りかご内での利用者の閉じ込め又は非常時通話呼びに係る通報であるときを第１優先度情報とし、ビル２０の揚水タンク２１の水漏れによる満水に係る通報であるときを第２優先度情報とし、ビル３０の空調機器３１の停電に係る通報であるときを第３優先度情報とする。
【００１４】
同一のビル設備機器の異常発生でもその内容により異常情報と処理優先度情報との対応は異なる場合がある。例えばビル１０のエレベータ１１における乗りかご内での利用者の閉じ込めや非常時通話呼びに係る通報を第１の優先度にした理由は、乗りかごの走行中に急停止して利用者が階床間で乗りかご内に閉じ込められる閉じ込め状態や、乗りかご内に設置される非常通話装置であるインターホンにおける非常時通話呼び釦の押下操作による非常時通話呼び状態は人命救助に係る可能性が高いために緊急度が最高レベルとみなせるからである。エレベータの運転異常であっても、利用者の閉じ込め状態でない乗りかごの起動不可等は人命救助に係わらずに緊急度が高くないため、第２番目以降の優先度にして構わない。また、ビル２０の揚水タンク２１の水漏れによる満水状態に係る通報を第２の優先度にした理由は、人命救助に係る乗りかご内での利用者の閉じ込め状態や非常時通話呼び状態よりは即時対応性が低いとみなせるとはいえ、揚水タンク２１からの水漏れを放置しておくと、揚水タンク２１が設置されたビル２０が水浸しになって大規模な被害を起こす可能性があるためである。更に、ビル３０の空調機器３１の停電状態に係る通報を第３の優先度にした理由は、停電故障自体は夜間であれば不具合も少なくないが、基本的に復旧されない限り現地での対応が不可能なため、乗りかご内における利用者の閉じ込め状態や非常時通話呼び状態、或いは揚水タンク２１からの水漏れによる満水状態よりは緊急度が低いとみなせるからである。
【００１５】
何れにしても、監視端末１２、２２、３２では、異常検出時に通報の内容を示す異常情報の種別に応じて予め割り当てられて定められた処理優先度情報を持つ図示されないテーブルを参照して異常情報に処理優先度情報を付して作成した通報情報を通信回線５０を介して監視センタ装置６０の通信装置６１へ送信する。そこで、監視センタ装置６０では、通信装置６１がビル１０、２０、３０の監視端末１２、２２、３２から通報情報を受信したときに処理装置６２により通報情報に含まれる処理優先度情報に従って複数の異なる異常情報に係る通報処理の中から優先度の高い順で少なくとも一つの通報処理を選択する。
【００１６】
このため、監視センタ装置６０は、細部構成として、ビル１０、２０、３０の監視端末１２、２２、３２から通報情報を受信すると共に、通報情報に含まれる処理優先度情報に従って通報情報を振り分ける通報振り分け機能を持つ通信装置６１と、通信装置６１の通報振り分け機能によりビル２０の監視端末２２からの通報情報が入力されて保管する第２優先度バッファ６３と、通信装置６１の通報振り分け機能によりビル３０の監視端末３２からの通報情報が入力されて保管する第３優先度バッファ６４と、通信装置６１の通報振り分け機能によりビル１０の監視端末１２からの通報情報が直接入力されて保管すると共に、直接入力された通報情報と第２優先度バッファ６３及び第３優先度バッファ６４からの入力された通報情報とに含まれる処理優先度情報に従って複数の異なる異常情報に係る通報処理の中から優先度の高い少なくとも一つの通報処理を選択する通報選択機能を持つ処理装置６２と、処理装置６２に接続されると共に、通報選択機能による通報処理の結果に応じて通報情報に異常情報が存在して空き状態である場合に異常通報の表示に供される３系統の監視卓６５、６６、６７と、を備えている。
【００１７】
即ち、監視センタ装置６０では、ビル１０、２０、３０の監視端末１２、２２、３２から通信装置６１が通報情報を受信すると、通報振り分け機能により通報情報の処理優先度情報を分析し、ビル１０の監視端末１２からの通報情報を第１優先度情報として処理装置６２に送信し、ビル２０の監視端末２２からの通報情報を第２優先度情報として第２優先度バッファ６３に送信し、ビル３０の監視端末３２からの通報情報を第３優先度情報として第３優先度バッファ６４に送信する。処理装置６２では、通報選択機能により最初に直接入力された通報情報に異常情報があるか否かを確認し、異常情報があればその異常情報を監視卓６５、６６、６７の空き卓に送信して異常通報として表示させる。また、処理装置６２は、直接入力された通報情報に異常情報が無ければ、引き続いて第２優先度バッファ６３の通報情報に異常情報があるか否かを確認し、異常情報があればその異常情報を監視卓６５、６６、６７の空き卓に送信して異常通報として表示させる。更に、処理装置６２は、直接入力された通報情報及び第２優先度バッファ６３の通報情報に異常情報が無ければ、引き続いて第３優先度バッファ６４の通報情報に異常情報があるか否かを確認し、異常情報があればその異常情報を監視卓６５、６６、６７の空き卓に送信して異常通報として表示させる。
【００１８】
この監視センタ装置６０における処理装置６２では、広域災害発生等で通報が集中している場合、処理優先度情報が低い異常情報（例えば第３優先度情報）については、監視卓６５、６６、６７の空き卓に異常通報として表示させず、図示しないプリンタでその異常情報の内容を印刷するようにして対応させることができる。監視卓６５、６６、６７では、異常情報の通報処理を実施してオペレータ向けに異常通報の表示を行うが、オペレータは優先度の高い第１優先度情報に係る異常情報があれば、エレベータ１１からの非常時通話呼びに応じて乗りかご内の利用者と通話を行うが、非常時通話呼び以外でも異常通報が確認されれば所轄の保守点検担当作業員に連絡し、異常通報された該当するビル１０、２０、３０への出動を指示する。このように、監視センタ装置６０では、通信装置６１の通報振り分け機能により通報情報の処理優先度情報を分析した結果に応じて通報情報を振り分け、処理装置６２の通報選択機能により通報情報に含まれる異常情報の扱いを処理優先度情報に基づいて優先度の高い順で選択的に異常通報として処理できるため、広域災害発生時に通報が急増しても、優先度の高い重要な異常通報の処理が遅延されたり、漏れることなく円滑に通報処理を行うことができる。
【００１９】
図２は、実施例１に係るビル設備用遠隔監視システムの各部間における動作処理の手順を示したフローチャートである。図２を参照して各部間の動作処理を時系列で説明すれば、最初にビル１０、２０、３０の監視端末１２、２２、３２では、エレベータ１１における運転状態、並びに非常時通話呼び状態、揚水タンク２１の水漏れ状態、空調機器３１の通電状態をそれぞれ監視して異常検出されたか否かの判定（ステップＳ１）を行う。この判定の結果、異常検出されていなければこの判定（ステップＳ１）の前に戻って判定処理を繰り返すようにして待機するが、異常検出されていれば通報の内容となる異常情報を含む通報情報を作成（ステップＳ２）した後、その通報情報における異常情報がエレベータ１１における閉じ込め状態に係る非常時通話呼び釦の押下操作による通話通報か否かの判定（ステップＳ３）を行う。この判定の結果、通話通報であれば異常情報（通話通報）に処理優先度情報として第１優先度情報を付加（ステップＳ５）する処理を行うが、通話通報でなければ引き続いて通報情報における異常情報が揚水タンク２１の水漏れに関連する満水通報か否かの判定（ステップＳ４）を行う。この判定の結果、満水通報であれば異常情報（満水通報）に処理優先度情報として第２優先度情報を付加（ステップＳ６）する処理を行うが、満水通報でなければ残りの異常情報（実施例１では空調機器３１の停電時の停電通報）に処理優先度情報として第３優先度情報を付加（ステップＳ７）する処理を行う。
【００２０】
何れの場合も、その後は各異常情報（通話通報、満水通報、停電通報）に処理優先度情報を付加して作成した通報情報を通信回線５０を介して監視センタ装置６０の通信装置６１に対して送信（ステップＳ８）する。監視端末１２、２２、３２では、引き続いて送信した通報情報における異常情報に通話通報が含まれるか否かの判定（ステップＳ９）を行う。この判定の結果、通話通報が含まれればエレベータ１１における乗りかご内の利用者が扱うインターホンと監視センタ装置６０の監視卓６５、６６、６７の該当する卓のオペレータ用の通話機との間における通話処理（ステップＳ１０）を行ってから動作処理を終了（実施例１では監視端末１２が該当する）するが、通話通報がなければ動作処理を終了（実施例１では監視端末２２、３２が該当する）する。
【００２１】
また、上述した通報情報を送信（ステップＳ８）する処理を受けた監視センタ装置６０では、通信装置６１により通信回線５０経由で通報情報が受信されたか否かの判定（ステップＴ１）を行い、受信されていなければこの判定（ステップＴ１）の前に戻って判定処理を繰り返すようにして待機するが、通報情報が受信されていればその通報情報に付加された処理優先度情報が第１優先度情報を示す第１優先度通報であるか否かの判定（ステップＴ２）を行う。この判定の結果、第１優先度通報であれば処理装置６２へ通報情報を送信する処理装置送信（ステップＴ３）の処理を行うが、第１優先度通報でなければ引き続いてその通報情報に付加された処理優先度情報が第２優先度情報を示す第２優先度通報であるか否かの判定（ステップＴ４）を行う。この判定の結果、第２優先度通報であれば第２優先処理バッファ６３へ通報情報を送信する第２優先処理バッファ送信（ステップＴ５）の処理を行うが、第２優先度通報でなければ第３優先処理バッファ６４へ通報情報を送信する第３優先処理バッファ送信（ステップＴ６）の処理を行う。このようにして、通信装置６１の通報振り分け機能が完了する。
【００２２】
次に、処理装置６２では、通信装置６１の通報振り分け機能による処理装置送信（ステップＴ３）の処理を受けた後の通報情報に異常情報が有るか否かを確認することで処理装置６２に異常情報有りか否かの判定（ステップＴ７）を行い、異常情報が有れば監視卓６５、６６、６７の空き卓に異常通報として表示させる監視卓表示（ステップＴ１０）の処理を行うが、異常情報が無ければ引き続いて通信装置６１の通報振り分け機能による第２優先処理バッファ送信（ステップＴ５）の処理を受けた後の第２優先処理バッファ６３の通報情報に異常情報が有るか否かを確認することで第２優先バッファ異常情報有りか否かの判定（ステップＴ８）を行い、異常情報が有れば監視卓６５、６６、６７の空き卓に異常通報として表示させる監視卓表示（ステップＴ１０）の処理を行うが、異常情報が無ければ引き続いて通信装置６１の通報振り分け機能による第３優先処理バッファ送信（ステップＴ６）の処理を受けた後の第３優先処理バッファ６４の通報情報に異常情報が有るか否かを確認することで第３優先バッファ異常情報有りか否かの判定（ステップＴ９）を行う。この判定の結果、異常情報が有れば監視卓６５、６６、６７の空き卓に異常通報として表示させる監視卓表示（ステップＴ１０）の処理を行うが、異常情報が無ければ動作処理を終了する。監視卓表示（ステップＴ１０）の処理では、空き卓に異常通報として異常情報の内容やビル１０、２０、３０の所在地等の情報を表示する。このようにして、処理装置６２の通報選択機能が完了する。
【００２３】
更に、監視センタ装置６０では、監視卓表示（ステップＴ１０）の処理後に処理装置６２により通報情報の異常情報に通話通報が含まれるか否かの判定（ステップＴ１１）を行い、通話通報が含まれていれば該当する卓のオペレータ用の通話機とエレベータ１１における乗りかご内の利用者が扱うインターホンとの間における通話処理（ステップＴ１２）を行い、その通話終了後には異常情報に通話通報が含まれていない場合と同様に、該当する卓のオペレータが所轄の保守点検担当作業員に連絡し、異常通報された該当するビル１０、２０、３０への出動を指示して１件分の通報処理（ステップＴ１３）を終了させてから先の処理装置６２に異常情報有りか否かの判定（ステップＴ７）の前に戻ってそれ以降の処理を繰り返すことで未処理分の次の通報処理を継続する。
【００２４】
以上に説明した実施例１に係るビル設備用遠隔監視システムによれば、ビル１０、２０、３０に設置される監視端末１２、２２、３２によりビル設備機器であるエレベータ１１、揚水タンク２１、空調機器３１をそれぞれ監視した結果の異常検出時に通報を行う際、通報の内容を示す異常情報に応じて予め決定した処理優先度情報を付して作成した通報情報を監視センタ装置６０へ送信し、通報情報を受信した監視センタ装置６０側では通信装置６１の通報振り分け機能により通報情報に含まれる処理優先度情報に従って通信情報を処理装置６２、第２優先処理バッファ６３、第３優先処理バッファ６４に振り分け、処理装置６２の通報選択機能により振り分けられた通信情報に含まれる複数（実施例１では３種）の異常情報に係る通報処理の中から優先度の高い順（エレベータ１１、揚水タンク２１、空調機器３１の順）で監視卓６５、６６、６７の空き卓へ異常通報を表示するための少なくとも一つの通報処理を選択するため、広域災害発生等で通報が急増しても、円滑に通報処理を行うことができるようになる。
【００２５】
尚、図１に示した実施例１に係るビル設備用遠隔監視システムでは、３系統のビル１０、２０、３０に設置された監視端末１２、２２、３２がそれぞれビル設備機器であるエレベータ１１、揚水タンク２１、空調機器３１を監視する構成とし、監視センタ装置６０側で通信装置６１がその種別に応じて通報を振り分けてから優先度の高い順で選択する場合を説明したが、ここで開示した構成はあくまでも一例であり、各部を４系統以上としても処理装置６２で優先度の高い順で通報処理を選択する同等の機能を持たせることができるため、本発明のビル設備用遠隔監視システムは実施例１で開示した構成に限定されない。こうした場合の各監視端末には、多くの異常情報の種別に応じた処理優先度情報を持つテーブルを用いれば良く、監視センタ装置６０の通信装置６１の通報振り分け数もそれに対応させれば良いことになる。
【符号の説明】
【００２６】
１０、２０、３０  ビル
１１  エレベータ（エレベータ制御装置）
１２、２２、３２  監視端末
２１  揚水タンク
３１  空調機器
５０  通信回線
６０  監視センタ装置
６１  通信装置
６２  処理装置
６３  第２優先処理バッファ
６４  第３優先処理バッファ
６５〜６７  監視卓
【図１】
2014206864.tif 000003
【図２】
2014206864.tif 000004